(57)【要約】【課題】最上階の同一フロアにおいて、他と比べて低い外壁を有する建物において、この外壁を耐力壁としつつも、耐力壁のバランスがとれた建物を提供する。【解決手段】２階建て以上の建物において、最上階における所定の側の外壁の少なくとも一部を、この外壁と平行に設けられた最上階の他の耐力壁よりも低い低耐力壁とし、この低耐力壁の内側には最上階部分の床面を結合せずに吹き抜けを設けることとした。【選択図】図１
2011074731.tif 000002
【特許請求の範囲】
【請求項１】
２階建て以上の建物であって、
最上階における所定の側の外壁の少なくとも一部は、この外壁と平行に設けられた最上階の他の耐力壁よりも低い低耐力壁とされ、
この低耐力壁の内側には最上階部分の床面を結合せずに吹き抜けを設けたことを特徴とする、建物。
【請求項２】
前記低耐力壁は、この低耐力壁と平行に設けられた最上階の他の耐力壁と比較して半分以下の高さであることを特徴とする、請求項１記載の建物。
【請求項３】
前記吹き抜けと隣接する最上階の部屋は、前記吹き抜け側に開口部を有することを特徴とする、請求項１又は２記載の建物。
【発明の詳細な説明】
【技術分野】
【０００１】
この発明は、階上部分において高さの異なる耐力壁を有する２階建て以上の建物に関するものである。
【背景技術】
【０００２】
従来、例えば、切妻屋根の２つの傾斜面の長さを異なるように形成した住宅が知られており、こうした住宅の屋根は大屋根と呼ばれることがある。こうした大屋根を有する住宅においては、傾斜面の長さが異なることに起因して、屋根の傾斜面が長く設けられた側の外壁は、相対する側の外壁などと比較して低く形成されることとなる。
ここで、大屋根は、複数の階にまたがってかけるようにしても良い。２階建ての住宅を例にすると、傾斜面が長い方の屋根はその端部において１階天井部分の桁で支えられることとし、これにより、傾斜面が長い方の屋根は２階のみならず１階をも覆う屋根としても良い。
【０００３】
しかしながら、１階をも覆う屋根とした場合、当然のことながら、屋根は低くまで延びることとなるから、小屋裏の２階部分のスペースを自由に使用することはできない。このため、小屋裏を２階として使用する場合にこの空間を広く取ろうという観点から見れば、傾斜面が長い方の屋根を２階の床の高さ付近で支持するのではなく、２階部分に多少なりとも立ち上がり部分を設け、ここで屋根を支持することとした方が良い。こうすることにより、小屋裏の２階部分の天井を高くすることができ、２階部分を広く利用することが可能となる。
しかしながら、建物においては、空間利用の観点のみならず、地震等の外力に対しての安全性も考慮する必要がある。具体的には、例えば耐力壁を適切に設けることにより、住宅の強度を確保する必要がある。
【０００４】
前述したような大屋根を有する建物の耐力壁の配置に関する発明としては、例えば、特許文献１に開示された発明がある。特許文献１に開示された発明では、外壁の内側において、ブレースを有効に作用させることができる最低高さを確保することができる高さとなされた第三軸柱部分に、ブレースが設けられて耐力壁部が形成されることとなっている。すなわち、２階床梁の上に立ち上がり部分を設けることにより、２階部分を広く利用することを可能とするとともに、内壁に耐力壁を設けることで構造的強度を確保する発明が開示されている。
【先行技術文献】
【特許文献】
【０００５】
【特許文献１】特開２００１−１３２１０１号公報
【発明の概要】
【発明が解決しようとする課題】
【０００６】
しかしながら、上記した特許文献１に記載の発明では、内壁の一部を耐力壁としているため、内壁を設ける場所を確保する必要性があり、空間利用に関して制約が生まれることとなっていた。この制約を回避して空間を有効に活用するには外壁を耐力壁とすれば良いが、外壁を耐力壁とした場合、特許文献１にも記載されているとおりの不都合が生じる。すなわち、特許文献１に記載の発明において外壁を耐力壁とした場合、この外壁は他の耐力壁よりも低くなっているためこの低い外壁の剛性のみが高くなり、外力が加わったときに応力が集中する。このため、低い外壁を耐力壁とすると２階部分における耐力壁のバランスが適切に構成できないという問題があった。そして、特許文献１に記載の発明においては、外壁を耐力壁とした場合のこの不都合を解消できないため、外壁を耐力壁とするのではなく、内壁を耐力壁としているものである。
【０００７】
本発明は、このような特許文献１記載の発明における制約を解除し、最上階の同一フロアにおいて、他と比べて低い外壁を有する建物において、この外壁を耐力壁としつつも、耐力壁のバランスがとれた建物を提供することを課題とする。
【課題を解決するための手段】
【０００８】
本発明は、上記した課題を解決するためになされたものである。以下、各請求項にそれぞれ記載された発明の特徴および作用を説明する。
なお、符号は、発明の実施の形態において用いた符号を示し、本発明の技術的範囲を限定するものではない。
（請求項１）
請求項１に記載の建物は、２階建て以上の建物10であって、最上階における所定の側の外壁18の少なくとも一部は、この外壁18と平行に設けられた最上階の他の耐力壁20よりも低い低耐力壁21とされ、この低耐力壁21の内側には最上階部分の床面17を結合せずに吹き抜け14を設けたことを特徴とする。
【０００９】
なお、「低耐力壁」とされる外壁の具体的な態様としては、例えば、前述したような大屋根を備えた住宅において、傾斜面が長く設けられた側の屋根の端部を２階床梁の上に設けた立ち上がり部分で支えることとし、この立ち上がり部分に設けられた外壁を「低耐力壁」とすることが考えられる。
なお、建物の屋根の形状は前述したような大屋根に限らない。例えば、階段状に形成された屋根等を前提としても良い。この場合、階段状の低段側の外壁の一部を「低耐力壁」とすることが考えられる。
（請求項２）
請求項２に記載の発明は、上記した請求項１に記載の発明の特徴点に加え、以下を特徴とする。
【００１０】
すなわち、前記低耐力壁21は、この低耐力壁21と平行に設けられた最上階の他の耐力壁20と比較して半分以下の高さであることを特徴とする。
なお、耐力壁の高さとは、耐力壁を下部で支える梁の上端面の高さから、耐力壁を上部で支える梁もしくは桁の下端面の高さまでを言う。
（請求項３）
請求項３に記載の発明は、上記した請求項１又は２に記載の発明の特徴点に加え、以下を特徴とする。
すなわち、前記吹き抜け14と隣接する最上階の部屋13は、前記吹き抜け14側に開口部29を有することを特徴とする。
【００１１】
なお、「開口部」としては、最上階の部屋の吹き抜けに接する全面を開放しても良いし、一部のみを開放しても良い。例えば、吹き抜けに接する側の面を開放した上で手すりを設けるような態様としても良いし、吹き抜けに接する側の壁に窓を設けるような態様としても良い。
【発明の効果】
【００１２】
本発明は上記の通りであり、以下の効果を奏する。
すなわち、請求項１記載の発明によれば、最上階部分に外壁として低耐力壁を設けることにより、最上階の小屋裏の天井を高くすることができる。このため、例えば、葺き下ろし屋根の低い方の軒桁が最上階の床の高さ付近にある建物と比較して、最上階スペースを広く確保することができる。その上で、他の耐力壁よりも低い低耐力壁の内側には最上階部分の床面を結合せずに吹き抜けを設けたため、この低耐力壁の剛性が高くなることがなく、むしろ直下階の耐力壁と一体となって作用するようになり、外力が加わったときでも応力が低耐力壁部分に集中しないように形成されている。このため、低い外壁を耐力壁としたにもかかわらず、耐力壁のバランスを適切に確保することができる。
【００１３】
また、請求項２記載の発明によれば、最上階の他の耐力壁と比較して半分以下の高さである低耐力壁の内側に吹き抜けを設けることとなるため、特に剛性が高くなる可能性のある低耐力壁においても、耐力壁のバランスを適切に確保することができる。
また、請求項３記載の発明によれば、吹き抜けと隣接する最上階の部屋の前記吹き抜け側に開口部を有するようにしたため、吹き抜けが設けられたことによる開放感をより高めることができる。なお、このような構成を採用できるのは、外壁を耐力壁としたため、内壁を耐力壁とする必要がないためである。
【図面の簡単な説明】
【００１４】
【図１】本件発明の実施例に係る建物の側面断面図である。
【図２】本件発明の実施例に係る建物の２階部分における平面断面図である。
【発明を実施するための形態】
【００１５】
本発明の実施形態について、図を参照しながら説明する。
図１に示すとおり、本実施形態に係る建物10は２階建てであり、切妻屋根23の片方の傾斜面が他方よりも長くとられていることにより、屋根23の傾斜面の長さが異なる大屋根構造となっている。なお、傾斜面が長い方の屋根23は、外側に突出して延びており、その端部を外部柱30が支えるような形となっている。そして、この屋根23の突出部分が玄関口の軒下を覆うようになっており、言い換えると、本実施形態に係る建物10においては、傾斜面が長い方の屋根23の側に玄関が設けられている。詳しくは、傾斜面が長い方の屋根23の側における１階部分には、建物10の出入り口としての出入用開口部31が設けられている。この出入用開口部31には出入用建具が取り付けられており、これにより玄関が形成されている。
【００１６】
本実施形態に係る屋根構造について更に詳しく説明する。本実施形態に係る建物10の屋根23は、最も高い位置に棟木24が設けられており、この棟木24で屋根23の頂部が支えられている。この棟木24から斜め下方向へ屋根23の２つの傾斜面が延びており、傾斜面が短い方の屋根23は、その終端部付近を軒桁25によって支持されている。一方、傾斜面が長い方の屋根23は、その途中部分を２本の母屋26により支持されるとともに、終端部付近は前述した外部柱30と低屋根部軒桁27とにより支持されている。
なお、本実施形態においては母屋26を２本設けているが、本発明の実施形態がこのような態様に限定されるものではない。例えば、軒桁25と同じ高さの１本の母屋26だけで屋根23を支持することとしても良いし、３本以上の母屋26で屋根23を支持することとしても良い。
【００１７】
ここで、傾斜面が長い方の屋根23を支持する２本の母屋26のうち、低い方の母屋26は、前記した軒桁25と同じ高さに設けられている。そして、この低い方の母屋26よりも下部において屋根23を支えている低屋根部軒桁27は、当然のことながら、軒桁25よりも低い位置に設けられることとなっており、外部柱30を除けば最も低い位置で屋根23を支持することとなっている。
なお、図１に示すように、傾斜面が長い方の屋根23を支持する２本の母屋26のうち、高い方の母屋26の下方には小屋桁28が設けられている。この小屋桁28は、天端の高さが軒桁25及びもう１本の母屋26の天端と同じになるように設けられている。この小屋桁28と小屋桁28下部の２階床梁16との間には内壁19が設けられている。この内壁19は、２階部屋12と後述する吹き抜け14に隣接する小屋裏部屋13とを隔てている。
【００１８】
小屋裏部屋13は、傾斜面が長い方の屋根23の下に設けられた２階部分の部屋である。この小屋裏部屋13は小屋裏に設けられているため、天井22が屋根23の傾斜に沿って次第に低くなるようになっている。そして、この小屋裏部屋13は、天井22が低くなっている側の面において、後述する吹き抜け14と隣接しており、この吹き抜け14と隣接する側には開口部を有している。具体的には、吹き抜け14と隣接する側の面には、図２に示すように、一部にのみ一部内壁部32が設けられているものの、この一部内壁部32を除いては壁が設けられておらず、手すり部29のみが設けられている。
ところで、この小屋裏部屋13に隣接する吹き抜け14は、出入用開口部31に接する空間として形成されている。すなわち、前述したように、本実施形態に係る建物10においては傾斜面が長い方の屋根23側に玄関が設けられており、この玄関側の屋根の下に吹き抜け14が形成されている。更に言い換えると、２階床梁16で支持される２階床17は、傾斜面が長い方の屋根23側（玄関側）の外壁18の内側には結合されておらず、これにより１階床15から天井22までを遮るものがなく、吹き抜け14が形成されている。
【００１９】
ここで、この２階床17が結合されていない外壁18部をみると、胴差33と低屋根部軒桁27との間に立ち上がり部分が設けられており、この立ち上がり部分の壁が後述する低耐力壁21を形成している。
次に、この低耐力壁21を含めた本実施形態に係る耐力壁20について説明する。
ここで、図２中、黒塗りで示される部分が耐力壁として設けられる壁を示し、白抜きで示される部分が非耐力壁として設けられる壁を示している。
本実施形態に係る２階部分の耐力壁20は、図２に示すとおり、特定の方向に偏ることなくバランス良く配置されており、建物全体の強度をバランス良く向上させるようになっている。ここで、既に説明したとおり、低屋根部軒桁27は、軒桁25及び母屋26よりも低い位置に設けられているため、この低屋根部軒桁27と胴差33との間に設けられた低耐力壁21は、この壁と平行に設けられた２階部分の他の耐力壁20と比較して低い壁となっている。
【００２０】
例えば、低耐力壁21に対向する外壁18の２階部分は耐力壁20として設けられているが、この耐力壁20と比較して、低耐力壁21は半分以下の高さとなっている。
また、小屋桁28と２階床梁16との間に設けられた２階部分の内壁19も耐力壁20として設けられているが、この耐力壁20と比較しても、低耐力壁21は半分以下の高さとなっている。
また、小屋裏部屋13と吹き抜け14との間の一部内壁部32も耐力壁20として設けられているが、この耐力壁20と比較しても、低耐力壁21は半分以下の高さとなっている。
このように、低耐力壁21は、この低耐力壁21と平行に設けられた２階部分における他の耐力壁20よりも低く形成され、具体的には、半分以下の高さとされている。このため、通常であれば、この低耐力壁21の高さが低すぎるため、耐力壁20のバランスが崩れてしまう。すなわち、この低耐力壁21の剛性が高くなり過ぎるため、外力が加わったときに応力が集中してしまう。
【００２１】
しかしながら、本実施形態に係る建物10では、前述した吹き抜け14が設けられており、２階床17が低耐力壁21の内側に連結されていないため、低耐力壁21の剛性が高くなり過ぎることがないように形成されている。このため、低い外壁18を耐力壁20としたにもかかわらず、耐力壁20のバランスを適切に確保することができるようになっている。
すなわち、２階部分において低耐力壁21と平行に設けられた耐力壁20としては、低耐力壁21に対向する２階部分の外壁18、小屋桁28と２階床梁16との間に設けられた２階部分の内壁19、小屋裏部屋13と吹き抜け14との間の一部内壁部32、などがあるが、これらの耐力壁20はほぼ同じ高さであり、これらの耐力壁20と比較すると低耐力壁21は半分以下の高さとなっている。そして、これらの耐力壁20のすべてには２階床17が連結されているものの、低耐力壁21には２階床17が連結されておらず、吹き抜け14が形成されている。このため、低耐力壁21の剛性が高くなり過ぎず、耐力壁20のバランスを確保することができるようになっている。
【００２２】
なお、上述した実施形態では、屋根23の傾斜面の長さが異なる大屋根構造の建物10を例としたが、屋根の構造としてはこのような構造に限るものではない。例えば、階段状の屋根を有することにより、低段部の屋根の下に低耐力壁21を設け、高段部の屋根の下に他の耐力壁20を設けるような態様としても良い。
また、上述した実施形態では、２階建ての建物10を例としたが、これに限らず３階建て以上であっても同様に本発明の効果を得ることができる。
【符号の説明】
【００２３】
10  建物                              11  １階部屋
12  ２階部屋                          13  小屋裏部屋
14  吹き抜け                          15  １階床
16  ２階床梁                          17  ２階床
18  外壁                              19  内壁
20  耐力壁                            21  低耐力壁
22  天井                              23  屋根
24  棟木                              25  軒桁
26  母屋                              27  低屋根部軒桁
28  小屋桁                            29  手すり部
30  外部柱                            31  出入用開口部
32  一部内壁部                        33  胴差
【図１】
2011074731.tif 000003
【図２】
2011074731.tif 000004